【事件の表示】
　特願２０１５−２４００９５「写真アルバムと収納ケースの製造方法」拒絶査定不服審判事件〔平成２９年　６月１５日出願公開、特開２０１７−１０５０４８〕について、次のとおり審決する。
【結　論】
　本件審判の請求は、成り立たない。
【理　由】
第１　手続の経緯
　本願は、平成２７年１２月９日の出願であって、令和１年６月６日付けで拒絶理由が通知され、同年９月１３日付けで意見書が提出されるとともに、手続補正書が提出され、同年１０月１５日付けで拒絶理由（最後）が通知され、同年１２月２０日付けで意見書が提出されるとともに、手続補正書が提出され、同年１２月２７日付けで同月２０日付けで提出された手続補正書による補正が却下されるとともに、拒絶査定がなされ、これに対し、令和２年４月２日付けで拒絶査定不服審判の請求がなされると同時に手続補正書が提出されたものである。
第２　令和２年４月２日付けで提出された手続補正書による補正についての補正却下の決定
［補正却下の決定の結論］
　令和２年４月２日付けで提出された手続補正書による補正（以下「本件補正」という。）を却下する。
［理由］
１　補正の内容
　本件補正は、特許請求の範囲について、下記（１）に示す本件補正前の（すなわち、令和１年９月１３日付けで提出された手続補正書により補正された）特許請求の範囲の請求項１乃至７を、下記（２）に示す本件補正後の特許請求の範囲の請求項１へと補正するものである。（下線は審決で付した。以下同じ。）
（１）本件補正前の特許請求の範囲
「【請求項１】
　写真アルバムと該写真アルバムを収納する収納ケースの製造方法であって、
　ユーザの依頼を受けて写真を撮影する撮影工程と、
　該写真を編集した該写真アルバムを作成するアルバム作成工程と、
　該写真を利用した該収納ケースを作成するケース作成工程と、を備え、
　該写真アルバムは、該写真が表示される表紙を有し、
　該収納ケースは、該写真アルバムの該表紙に表示される該写真と共通する写真が対応する位置関係で表示される表紙を有する
ことを特徴とする写真アルバムと収納ケースの製造方法。
　　【請求項２】
　該アルバム作成工程は、該ユーザの依頼に応じて該写真アルバムを作成することを特徴とする請求項１に記載の写真アルバムと収納ケースの製造方法。
　　【請求項３】
　該ケース作成工程は、該ユーザの依頼に応じて該収納ケースを作成することを特徴とする請求項１または請求項２に記載の写真アルバムと収納ケースの製造方法。
　　【請求項４】
　該撮影工程で得られた写真を修整する修整工程を備え、
　該アルバム作成工程及び該ケース作成工程では、該修整工程により修整された写真を用いる
ことを特徴とする請求項１〜３のいずれか一項に記載の写真アルバムと収納ケースの製造方法。
　　【請求項５】
　該写真アルバムの該表紙及び該収納ケースの該表紙に表示される該写真は、該ユーザの所望によって大きさ、位置、または形が決められる
ことを特徴とする請求項１〜４のいずれか一項に記載の写真アルバムと収納ケースの製造方法。
　　【請求項６】
　ユーザの依頼を受けて撮影した写真を編集して作成され、該写真が表示される表紙を有する写真アルバムと、
　該写真アルバムを収納するとともに、該写真アルバムの該表紙に表示される該写真と共通する写真が対応する位置関係で表示される表紙を有する収納ケースとからなる
ことを特徴とする写真アルバムと収納ケース。
　　【請求項７】
　該写真アルバムの該表紙及び該収納ケースの該表紙に表示される該写真は、該ユーザの所望によって大きさ、位置、または形状が決められる
ことを特徴とする請求項６に記載の写真アルバムと収納ケース。」
（２）本件補正後の特許請求の範囲
「【請求項１】
　写真アルバムと該写真アルバムを収納する収納ケースの製造方法であって、
　ユーザの依頼を受けて
、背景や照明の工夫を行うとともに顔のメイクやヘアーメイク、着付けを行ったうえで、被写体の
　該撮影工程と一連の流れとして連携して行う工程であって、
　
　該撮影工程、該修整工程及び該アルバム作成工程と一連の流れとして連携して行う工程であって、該修整工程を経て得られた該写真のデータであって該アルバム作成工程で使用された該写真のデータと同じ該写真のデータを用いることにより、
印画紙に印刷し、この印画紙を台紙に接着して箱状に成型することにより、
ことを特徴とする写真アルバムと収納ケースの製造方法。」
２　補正の適否について
　本件補正により、本件補正前の請求項１を引用する請求項４の「写真アルバムと収納ケースの製造方法」における「写真を撮影する撮影工程」について、「背景や照明の工夫を行うとともに顔のメイクやヘアーメイク、着付けを行ったうえで、被写体の」と限定し（以下「補正事項１」という。）、「該撮影工程で得られた写真を修整する修整工程」について、「該撮影工程と一連の流れとして連携して行う工程であって」と限定し（以下「補正事項２」という。）、「写真を編集した該写真アルバムを作成するアルバム作成工程」について、「撮影工程及び該修整工程と一連の流れとして連携して行う工程であって、該修整工程を経て得られた該写真のデータを用いることにより」、該写真アルバムの表紙に表示される写真「を印画紙に印刷するとともに、内部に表示される写真を編集してこの編集した写真を印画紙に印刷して、これらの印画紙を台紙に貼り付けて製本して」と限定し（以下「補正事項３」という。）、「該写真を利用した該収納ケースを作成するケース作成工程」について、「該撮影工程、該修整工程及び該アルバム作成工程と一連の流れとして連携して行う工程であって、該修整工程を経て得られた該写真のデータであって該アルバム作成工程で使用された該写真のデータと同じ該写真のデータを用いることにより」、該写真アルバムの該表紙に表示される該写真と共通する写真を対応する位置関係で「印画紙に印刷し、この印画紙を台紙に接着して箱状に成型することにより」と限定する（以下「補正事項４」という。）ものである。
（１）補正事項１について
　上記補正事項１は、本件補正前の請求項１を引用する請求項４の「写真アルバムと収納ケースの製造方法」における「写真を撮影する撮影工程」に関して、「背景や照明の工夫を行うとともに顔のメイクやヘアーメイク、着付けを行ったうえで、被写体の」と具体的に特定したものであるから、上記補正事項１は、特許法第１７条の２第５項第２号に規定する「特許請求の範囲の減縮」を目的とするものに該当する。
　また、上記補正事項１は、特許法第１７条の２第３項及び第４項に違反するところはない。
（２）補正事項２について
　上記補正事項２は、本件補正前の請求項１を引用する請求項４の「写真アルバムと収納ケースの製造方法」における「該撮影工程で得られた写真を修整する修整工程」に関して、「該撮影工程と一連の流れとして連携して行う工程であって」と具体的に特定したものであるから、上記補正事項２は、特許法第１７条の２第５項第２号に規定する「特許請求の範囲の減縮」を目的とするものに該当する。
　また、上記補正事項２は、特許法第１７条の２第３項及び第４項に違反するところはない。
（３）補正事項３について
　上記補正事項３は、本件補正前の請求項１を引用する請求項４の「写真アルバムと収納ケースの製造方法」における「写真を編集した該写真アルバムを作成するアルバム作成工程」に関して、「撮影工程及び該修整工程と一連の流れとして連携して行う工程であって、該修整工程を経て得られた該写真のデータを用いることにより」、及び写真アルバムの表紙に表示される写真「を印画紙に印刷するとともに、内部に表示される写真を編集してこの編集した写真を印画紙に印刷して、これらの印画紙を台紙に貼り付けて製本して」と具体的に特定したものであるから、上記補正事項３は、特許法第１７条の２第５項第２号に規定する「特許請求の範囲の減縮」を目的とするものに該当する。
　また、上記補正事項３は、特許法第１７条の２第３項及び第４項に違反するところはない。
（４）補正事項４について
　上記補正事項４は、本件補正前の請求項１を引用する請求項４の「写真アルバムと収納ケースの製造方法」における「該写真を利用した該収納ケースを作成するケース作成工程」に関して、本件補正前の「該収納ケースは、該写真アルバムの該表紙に表示される該写真と共通する写真が対応する位置関係で表示される表紙を有する」との事項が、「該写真アルバムの該表紙に表示される該写真と共通する写真を対応する位置関係で印画紙に印刷し、この印画紙を台紙に接着して箱状に成型することにより、該写真を利用した該収納ケース」と補正するものである。
　上記補正は、「収納ケース」が、「表紙を有する」との発明特定事項を削除するものであるから，特許法第１７条の２第５項の各号に規定するいずれかの目的とするものにも該当しない。
　してみると，本件補正は，特許法第１７条の２第５項の規定に違反してされたものというほかないから，同法第１５９条第１項において読み替えて適用される同法第５３条第１項の規定により却下すべきものである。
３　独立特許要件について　
　上記のとおり，本件補正は，特許法第１７条の２第５項第２号に規定する特許請求の範囲の減縮（いわゆる限定的減縮）を目的とするものに該当するものではないが，念のため，本件補正が限定的減縮であると仮定して、本件補正後の請求項１に係る発明（令和２年４月２日付けで提出された手続補正書の特許請求の範囲に記載された事項により特定される、上記「１　（２）本件補正後の特許請求の範囲」の【請求項１】（以下、「本願補正発明」という。）における本願補正発明が、特許出願の際独立して特許を受けることができるものであるか（特許法第１７条の２第６項において準用する同法第１２６条第７項の規定に適合するか）について、以下に検討する。
（１）本願補正発明
　本願補正発明は、上記「１　（２）本件補正後の特許請求の範囲」の【請求項１】に記載したとおりのものと認める。
（２）引用例
ア　引用例１
　原査定の拒絶の理由において引用された本願の出願日前に頒布された実用新案登録第３０９０８９５号公報（以下「引用例１」という。）には、次の事項が記載されている。
（ア）「【０００１】
　　【考案の属する技術分野】
　本考案は、結婚式等の記念行事に関する多数の写真を編集してなる記念アルバムに関するものである。
　　　【０００２】
　　【従来の技術】
　例えば、結婚式並びに結婚披露宴の写真をまとめて記念行事のアルバムを作成する場合には、一般的に、結婚式並びに結婚披露宴の記録の他、新郎・新婦の誕生から現在までの記録写真を編集して成長の順序に従った配置に貼付することなどが行われている。しかし、このように、ただ、結婚式等の記録や成長の記録をまとめるだけでは物足りなさを覚えさせられることから、種々の工夫が加えられている。また、近時はコンピューター技術を駆使してすべての写真を印刷することも可能となっているが、このような印刷による写真では、未だ現像した写真に匹敵する質感を得るには至っておらず、かつての安価な卒業アルバムに似た感じを抱かせるものとなってしまうことは否めない。こうして、実際の写真を貼付したアルバムの価値が見直されることになるが、単にアルバム台紙に写真を貼付してメッセージを記載するだけでは、折角の大事な記念行事の記録として不十分なものと感じさせられることが多い。そこで専門業者による写真の撮影とこれに続くアルバムの製作により内容の充実した記念アルバムの製作が行われることになる。専門業者によるアルバムの製作においては、単に撮影した写真や持ち込まれた写真を貼付するだけではなく、記念アルバムとしての質感を向上させるための種々の工夫が試みられている。」
（イ）「【０００７】
　（請求項１に記載した考案の特徴）
　請求項１に記載した考案の記念アルバムを構成するアルバム台紙は、一方の側を綴じ込み可能な基板台紙と、この基板台紙の少なくとも一方の面に貼付してあり、内周部に曲線を含む任意の形状の枠孔が少なくとも１個は設けてある中枠紙と、各枠孔にこれらの枠孔の形状に対応する形状の写真を嵌め込んである写真と、これらの写真を含む中枠紙の表面を保護するラミネート層とにより構成されているところに特徴がある。上記の通り、記念アルバムに綴じられるアルバム台紙は、所定厚さの基板台紙の両面に貼付する写真の形状に対応する枠孔を設けた中枠紙を貼り付け、この枠孔に選択された写真を嵌め込んで固定し、さらにその上に写真や台紙の表面を保護するためのラミネート処理を施したものからなる。
…
　　　【０００９】
　（請求項２に記載した考案の特徴）
　請求項２記載した考案の記念アルバムは、上記の
枠孔及び写真の形状はカッティングプロッター（静電プロッター）で裁断する
任意の形状の写真を任意の位置に配置可能
（ウ）「【００１５】
　　【考案の実施の形態】
　次に本考案の一実施形態の例について図面を参照して説明する。図１は、本考案に係る記念アルバム１の全体の構成についてアルバム台紙を開げた状態について示したものであり、これを閉じて後述のケース３１と組み合わせることにより収納並びに保管に適するようになっている。この
記念アルバム１は、複数のアルバム台紙２、…、前表紙７、裏表紙８及び背表紙９により構成されている
　　　【００１６】
　各普通台紙３及び折り重ね台紙４には、各種の形状・寸法の写真５の他、メッセージや写真の説明などを印刷により表示してなる情報表示部６が設けてある。情報表示部６は、貼付した写真５の周囲のおける後述の中枠紙にメッセージや絵又は模様等の組み合わせを印刷したものからなる。
写真５は、長方形写真５ａ、ハート形写真５ｂ、楕円形写真５ｃなどが適宜配置されている。
（エ）「【００１８】
　次に
アルバム台紙２の構成
厚紙からなる基板台紙１１の両面に写真５の厚さとほぼ同じ厚さの着色紙からなる中枠紙１３が貼付してある。この中枠紙１３には、任意の形状の枠孔１３ａが設けてあり、この枠孔に、これと同形の写真５が嵌め込まれている
…
　　　【００２０】
　次に
アルバム台紙の製作要領
図３
基板台紙１１は、従来技術と同じ要領で所定の寸法に裁断した用紙
中枠紙１３は、
カッティングプロッター
作図通りの枠孔１３ａを繰り抜く
写真についてもカッティングプロッターを用いて上記の枠孔と対応する外形に裁断する
枠孔１３ａを設けた中枠紙１３を糊で基板台紙１１に貼付する。続いて裁断した写真５ａを枠孔１３ａ内に嵌め込み、両面粘着テープや糊を用いて固定する。最後にラミネート層１７を公知の方法で形成する
記念アルバム１は、上記した複数のアルバム台紙３、４、前表紙７、裏表紙８とを従来から行われている要領で綴じることにより製作される
（オ）「【００２２】
　図４（ａ）は、普通台紙の見開き面を示すものであるが、左側の普通台紙１２ａは、基板台紙１１よりも小さめの中枠紙１３ｃを貼付したものである。この中枠紙１３ｃには、
横長の楕円形の枠孔１３ａと横長の長方形の枠孔１３ａとが設けてあり
（カ）「【００２５】
　次にケースについて説明する。
ケース３１の外形は
図６
記念アルバムを収納可能な箱体
記念アルバムに係るケースは、アルバムの内容に関する情報を、文字及び写真その他の表示手段をデザイン的に表示してある
アルバム台紙３に写真１５を貼付する要領（図３参照）で、ケースの前面３１ａや背面３１ｂに貼付することも可能である
（キ）上記（カ）より、
ケースは、その前面に、アルバムの内容に関する写真を貼付して製作する
（ク）上記（イ）より、記念アルバムには、任意の形状の写真を任意の位置に配置可能となることから、写真を嵌め込む枠孔も任意の形状で任意の位置に繰り抜き可能であると認められる。
（ケ）上記（エ）及び（カ）の記載より、記念アルバム及び記念アルバムを収納可能なケースの製造方法が記載されているものと認められる。
（コ）上記（ウ）「写真５は、長方形写真５ａ、ハート形写真５ｂ、楕円形写真５ｃなどが適宜配置されている。」及び上記（オ）「横長の楕円形の枠孔１３ａと横長の長方形の枠孔１３ａとが設けてあり」の記載から、写真を枠孔内に嵌め込むに際しては、複数の写真を複数の枠孔の形状に合わせて配置することが認められる。
（サ）図６より
箱状
　そうすると、上記（ア）乃至（サ）の記載事項から、引用例１には、次の発明（以下「引用発明１」という。）が記載されているものと認められる。
「複数のアルバム台紙、前表紙、裏表紙及び背表紙により構成されている記念アルバム及び記念アルバムを収納可能なケースの製造方法であって、
　複数のアルバム台紙は、所定の寸法に裁断した用紙を用いた基板台紙に、カッティングプロッターで任意の位置に任意の形状の枠孔を繰り抜いた中枠紙を糊で貼付し、枠孔と対応する外形にカッティングプロッターで裁断した複数の写真を複数の枠孔の形状に合わせて枠孔内に嵌め込み、両面粘着テープや糊を用いて固定し、最後にラミネート層を設けることにより製作し、
　記念アルバムは、上記した複数のアルバム台紙、前表紙、裏表紙とを綴じることにより製作され、
　記念アルバムを収納可能なケースは、その前面に、アルバムの内容に関する写真を貼付して製作する、
記念アルバム及び記念アルバムを収納可能な箱状のケースの製造方法。」
イ　引用例２
　原査定の拒絶の理由において引用された本願の出願日前に頒布された特開２００３−４８３８１号公報（以下「引用例２」という。）には、次の事項が記載されている。
（ア）「【０００１】
【発明の属する技術分野】本発明は、写真を保存する写真用アルバムに関する。
…
【０００３】【発明が解決しようとする課題】ところで、近年、
ユーザーのニーズに即したオリジナルデザインを表紙に採用したアルバムが要望されている。例えば、挙式時のメモリアル写真や、赤ちゃんのメモリアル写真と共に生誕日を文字にした画像等をアルバムの表紙に採り入れたユーザー独特のオリジナルアルバム等が挙げられる。従来、この種の要望を満たすものとして、記念日、名前を印刷もしくは貼付することは行なわれているが、写真を取り込むことまでは行なわれていなかった。
（イ）「【０００５】
【発明の実施の形態】以下に、本発明の実施の形態を、図面を用いて説明する。本実施の形態は、
写真を台紙に貼ってファイルする台紙式アルバム
図１
図２
図１
【０００６】アルバム１は、例えば台紙７の増設を可能とし、厚さ１８ｍｍ、縦横の長さが約２４０ｍｍのほぼ正方形で形成された、比較的小さな写真用アルバムである。
アルバム１は、図１及び図２に示すように、アルバム１の表側表紙４及び裏側表紙５から成る表紙部３と、写真をファイルする台紙７が複数綴じられた台紙部６によって構成されている
表側表紙４では、表側表紙４における表面８の心材となる基材９と表側表紙４の縁部１０の心材となる基材１１とは、印画紙１２によって連結されている。そして、印画紙１２は、両基材９、１１の端面までを覆った状態で、両基材９、１１に接着剤で貼付されている。表側表紙４における印画紙１２の表面１２ａには、後述するように、オリジナル写真２とその写真２に付随して表示される文字、メッセージ等がプリントされている
（ウ）「【００１１】
表側表紙４にプリントされるオリジナル写真２の画像
（１）結婚式及びその披露宴に関するメモリアル写真
（２）赤ちゃんのメモリアル写真
（３）愛犬などのペットを写した写真と、この写真に添えて表示される文字等として、ペットの名前、生誕日、飼い始めた日付、ペットが出産した様子、ペットから発しているメッセージ等がある。
（４）子息の入学式や卒業式のメモリアル写真と、この写真に添えて表示される文字等として、子息の名前、日付、学校名、表彰された事柄、子息から発しているメッセージ等がある。
（５）フルムーン旅行などのメモリアル写真と、この写真に添えて表示される文字等として、結婚記念日、夫婦の名前、夫の座右の銘、撮影場所、のメッセージ等がある。
（６）新築した家の写真、バイクや自動車等の趣味品を撮った写真、運動会や演奏会等のイベントに家族が出席している時の記念写真、展示会に出品した生け花の写真他と、この種の写真に添えて表示される文字等として、被写体の名称や被写体に対する気持ちを表すコメント等がある。なお、上述したオリジナル写真２等は、通常では表側表紙４だけにプリントされるものであるが、必要に応じて裏側表紙５にもプリントしてよい。
【００１２】次に、前述したようなオリジナル写真２の画像を、コンピュータの画像処理手段によって上述したアルバム１の表側表紙４の表面８に採り入れる製作方法について、図４に基づいて説明する。図４は、オリジナル写真２の画像を表側表紙４の表面８に採り入れてアルバム１の表側表紙４を製作する方法を示すフローチャート図である。ステップＳ１では、ユーザーはアルバムの表紙にプリントする写真の
画像を決定する
【００１３】次に、ステップＳ２では、コンピュータの画像処理手段は、表側表紙４の表面８に
プリントする画像における画像処理データを読み込む
オリジナル画像２の周囲における表側表紙４の表面８のデザイン（以下、「背景のデザイン」という）は、あらかじめコンピュータに記憶されおり、背景のデザインは、プリントするオリジナル画像２と同様に、ユーザーが選択したデザインを採用することもできるようになっている
【００１４】次に、ステップＳ３では、
背景のデザインを、コンピュータの画像処理手段に登録されているデザインのバリエーションから選択する
【００１５】
画像データと背景のデザインに関するデータが入力
所定サイズの印画紙１２に、プリントする画像とその画像のバックとなる背景のデザインをプリントする
【００１６】次に、ステップＳ４では、印画紙１２における画像とその背景がプリントされた表面１２ａの全体には、例えば厚さ１００μｍ、無色透明の塩化ビニル製等の
樹脂製フィルム１３の皮膜が形成される
【００１７】次に、ステップＳ５では、例えば、図１に示すアルバム１において、プリントされた
印画紙１２は
所定の大きさに裁断される
【００１８】次に、ステップＳ６では、図２に示すように、オリジナル写真２の画像が表側表紙４の表面８の所定位置に位置合わせされた状態で、膠等の接着剤で裁断された
印画紙１２を
貼付する
印画紙１２同志を
貼付する
（エ）「【図４】
」
（オ）上記（ウ）及び（エ）【図４】より、引用例２には、
画像を決定するステップ、プリントする画像における画像処理データを読み込むステップ、所定サイズの印画紙に、プリントする画像とその画像のバックとなる背景のデザインをプリントするステップ、樹脂製フィルムの皮膜を形成するステップ、印画紙を所定の大きさに裁断するステップ、印画紙を貼付するステップからなるオリジナルアルバムの製造方法
（カ）上記（ウ）【００１３】及び【００１４】の記載より、画像処理には、
読み込んだ画像データに対して背景のデザインに関するデータを入力する
　そうすると、上記（ア）乃至（カ）の記載事項から、引用例２には、次の発明（以下「引用発明２」という。）が記載されているものと認められる。
「表側表紙４及び裏側表紙５から成る表紙部３と、
写真をファイルする
　表側表紙４における印画紙１２の表面１２ａには、オリジナル写真２がプリントされ、
　表側表紙４にプリントされるオリジナル写真２の画像は、
（１）結婚式及びその披露宴に関するメモリアル写真、
（２）赤ちゃんのメモリアル写真
である、
製造方法。」
（３）対比
　そこで、本願補正発明と引用発明１とを対比すると、
ア　後者の「写真」とは、（２）ア（ア）より、専門業者により撮影されてものであるところ、裁断し貼付するものでもあること、及び、一般的に「写真」とは、被写体から発される光線を再構成して
実像
現像
可視化
イ　後者の「記念アルバム」、「記念アルバムを収納可能なケース」、「記念アルバム及び記念アルバムを収納可能なケースの製造方法」は、それぞれ、前者の「写真アルバム」、「写真アルバムを収納する収納ケース」、「写真アルバムと該写真アルバムを収納する収納ケースの製造方法」に相当する。
ウ　前者の「編集」について明細書等には、「【００２２】＜編集工程＞…写真の編集としては、撮影された写真の中からアルバム１１及び収納ケース２１に使用する写真の選択を行う。また、選択された写真を、どのようにアルバム１１及び収納ケース２１に配置するかのレイアウトについても決定する。写真の配置では、例えば、アルバム１１及び収納ケース２１における写真の大きさ、位置、形状等について決定する。」と記載されていることからすると、前者の「編集」とは、アルバムに使用する写真を選択し、選択された写真をどのように配置するかのレイアウトを決定することと認められる。
　これに対し、後者の「製造方法」において、「枠孔」は任意の位置にくり抜いたものであって、「複数の写真を複数の枠孔の形状に合わせて枠孔内に嵌め込」むものであることからすると、複数の写真は、任意の位置に配置されることとなるのであるから、後者の「複数の枠孔の形状に合わせて枠孔内に嵌め込」まれる「複数の写真」は、前者の「内部に表示される写真を編集してこの編集した写真」に相当する。
エ　後者の「製造方法」は、枠孔内に両面粘着テープや糊を用いて固定した写真が嵌め込まれた複数のアルバム台紙と、前表紙、裏表紙とを綴じることにより製作するものであるから、前者の「製造方法」と後者の「製造方法」とは、「内部に表示される写真が表示された印画紙を、台紙に貼り付けて製本して、写真アルバムを作成するアルバム作成工程」を備える点で共通する。
エ　後者の「製造方法」は、記念アルバムを収納可能な箱状のケースを、その前面に、アルバムの内容に関する写真を貼付して製作するものであって、記念アルバムを収納可能なケースは、その形状が箱形であることが一般的であることから、前者の「製造方法」と後者の「製造方法」とは、「写真が表示された印画紙を台紙に接着して箱状にすることにより、該写真を利用した該収納ケースを作成するケース作成工程」を有する点で共通する。
　したがって、両者は、以下の一致点で一致し、以下の相違点で相違する。
［一致点］
「写真アルバムと該写真アルバムを収納する収納ケースの製造方法であって、
　内部に表示される写真を編集してこの編集した写真が表示された印画紙を、台紙に貼り付けて製本して、該写真を編集した該写真アルバムを作成するアルバム作成工程と、
　写真が表示された印画紙を台紙に接着して箱状にすることにより、該写真を利用した該収納ケースを作成するケース作成工程と、を備える
写真アルバムと収納ケースの製造方法。」
［相違点１］
　本願補正発明は、「ユーザの依頼を受けて、背景や照明の工夫を行うとともに顔のメイクやヘアーメイク、着付けを行ったうえで、被写体の写真を撮影する撮影工程」を備えるものであるのに対し、引用発明１は、前記撮影工程を備えるのか否か明らかでない点。
［相違点２］
　本願補正発明は、「撮影工程で得られた写真を修整する修整工程」を備えるものであるのに対し、引用発明１は、前記修正工程を備えるのか否か明らかでない点。
［相違点３］
　本願補正発明の「アルバム作成工程」は、「該修整工程を経て得られた該写真のデータを用いることにより、該写真アルバムの表紙に表示される写真を印画紙に印刷するとともに」、「写真を印画紙に印刷して」、作成するものであるのに対し、引用発明１は複数の写真を複数の枠孔の形状に合わせて枠孔内に嵌め込み、枠孔内に両面粘着テープや糊を用いて固定した写真が嵌め込まれた複数のアルバム台紙と、前表紙、裏表紙とを綴じることにより製作するものである点。
［相違点４］
　本願補正発明の「ケース作成工程」は、「該修整工程を経て得られた該写真のデータであって該アルバム作成工程で使用された該写真のデータと同じ該写真のデータを用いることにより、該写真アルバムの該表紙に表示される該写真と共通する写真を対応する位置関係で印画紙に印刷し」、印画紙を台紙に接着して箱状に「成型する」ものであるのに対し、引用発明１は、その点明らかでない点。
［相違点５］
　本願補正発明は、「撮影工程」と、「修整工程」と、アルバム作成工程、及びケース作成工程とが「一連の流れとして連携して行う工程」であるのに対し、引用発明１は、その点明らかでない点。
（４）判断　
　上記各相違点について、以下、検討する。　
ア　［相違点１］について
　上記（２）ア（ア）のとおり、アルバムに貼付する写真の撮影は、従来より、専門業者により行われていたこと、そして、専門業者による写真撮影に際しては、ユーザの依頼に基づき、背景や照明の工夫がされ、顔のメイクやヘアーメイク及び着付けが行われることが、一般的に行われてきていることからすると、引用発明１には記載されていないものの、引用発明１が、「記念アルバム及び記念アルバムを収納可能なケースの製造方法」であることからすれば、引用発明１も、「ユーザの依頼を受けて、背景や照明の工夫を行うとともに顔のメイクやヘアーメイク、着付けを行ったうえで、被写体の写真を撮影する撮影工程」を備えているか、少なくとも、引用発明１において、「ユーザの依頼を受けて、背景や照明の工夫を行うとともに顔のメイクやヘアーメイク、着付けを行ったうえで、被写体の写真を撮影する撮影工程」を備えるようにすることは、当業者にとって容易になし得るものといえる。
　してみると、上記相違点１は、実質的な相違点ではないか、少なくとも、引用発明１において、「ユーザの依頼を受けて、背景や照明の工夫を行うとともに顔のメイクやヘアーメイク、着付けを行ったうえで、被写体の写真を撮影する撮影工程」を備えるようにし、上記相違点１に係る構成とすることは、当業者が容易になし得るものである。
イ　［相違点２］について
　上記アの検討より、引用発明１の「写真」は「撮影工程で得られた」ものといえる。
　また、従来より、写真データの編集して、アルバムを作成することは、周知の技術といえるものである（例えば、「北九州イノベーションギャラリー｜Kitakyushu Innovation Gallery  Studio [KIGS]，日本，北九州イノベーションギャラリー，2007.10.30保存，[online],[検索日２０２１年１月１１日]，ＵＲＬ，http://web.archive.org/web/20151109121915/https://www.sansyo.co.jp/service/event/」、「印刷物制作 | サンショウ株式会社 ，日本，サンショウ株式会社，2015.11.09保存，[online],[検索日２０２１年１月１１日]，ＵＲＬ，http://web.archive.org/web/20151109122840/https://www.sansyo.co.jp/service/print/」及び「撮影の流れ｜ラヴィ・ファクトリー フォトスタジオ，日本，ＬＡ−ＶＩＥ　ＰＴＨＯＴＯＧＲＡＰＨＹ　ＰＨＯＴＯ　ＳＴＵＤＩＯ，2015.10.23 保存，[online],[検索日２０２１年１月１１日]，ＵＲＬ，http://web.archive.org/web/20151023034821/http://www.la-viephotostudio.com/flow/」（以下「周知技術」という。））
　ここで、本願補正発明の「修整」とは、願書に添付した明細書、特許請求の範囲又は図面（以下「明細書等」という。）に「【００２４】＜修整工程＞…写真の修整は、特に限定されず公知の方法により行うことができ、例えば、写真のトリミング（クロッピング）、拡大、縮小、回転、明るさの変更、濃淡の変更、レタッチなどが挙げられる。」と記載されていることからすると、上記相違点２に係る構成は、前記周知技術に示されているといえる。
　そして、引用発明１の「枠孔と対応する外形にカッティングプロッターで裁断」することは、本願補正発明の「修正」における一態様である「トリミング（クロッピング）」に相当することからすれば、引用発明１の「枠孔と対応する外形にカッティングプロッターで裁断」することに、上記周知技術を適用し、上記相違点２に係る構成とすることは、当業者が容易になし得るものである。
　
ウ　［相違点３］について
　上記周知技術に示されているように、写真のデータからアルバムに掲載する写真を選択し、写真データを修正した上で印画紙に印刷して台紙に貼り付けてアルバムを作成することも周知技術といえる。
　してみると、上記相違点３における、修正工程を経て得られた写真のデータを用いること、及び写真を印画紙に印刷して台紙に貼り付けて作成するアルバム作成工程は周知技術といえる。
　また、引用発明２の「写真」、「プリントする画像における画像処理データ」、「表側表紙４」、「印画紙１２」及び「プリント」は、それぞれ、本願補正発明の「写真」、「写真のデータ」、「表紙」、「印画紙」及び「印刷」に相当する。
　そして、本願補正発明の「アルバム作成工程」と引用発明２の「製造方法」とは、「写真のデータを用いることにより、写真アルバムの表紙に表示される写真を印画紙に印刷する」ものとの概念で一致する。
　そうすると、引用発明２には、上記相違点３における、写真のデータを用いることにより、写真アルバムの表紙に表示される写真を印画紙に印刷するアルバム作成工程が記載されているものと認められる。
　そして、引用発明１は、上記（２）ア（カ）のとおり、アルバムの内容に関する情報の表示のために、ケースの前面にアルバムの内容に関する写真を貼付するのであるから、引用発明１のアルバムの前表紙にも、ケースの前面と同様にアルバムの内容に関する情報を表示するために、引用発明２を適用し、写真データを用いることにより、写真アルバムの表紙に表示される写真を印画紙に印刷するようにすることは、当業者が適宜なし得る程度のことである。
　してみると、引用発明１に、引用発明２を適用することにより、写真のデータを用いることにより、写真アルバムの表紙に表示される写真を印画紙に印刷することは、当業者が容易になし得るものであって、修正工程を経て得られた写真のデータを用い、印画紙に印刷して台紙に貼り付けてアルバムを作成することが周知技術である以上、表紙に表示される写真に、修正工程を経て得られた写真データを用いることも、また、修正工程を経て得られた写真データを印画紙に印刷して台紙に貼り付けてアルバムを作成することも、当業者が適宜なし得る程度のことである。
　よって、上記相違点３に係る本願補正発明は、引用発明１，引用発明２及び上記周知技術から、当業者が容易になし得るものである。
（エ）［相違点４］について
　引用発明１の記念アルバムを収納可能なケースの前面には、アルバムの内容に関する写真を貼付しているのであるから、引用発明１に、引用発明２を適用し、引用発明１の前表紙に写真を貼付するに際し、アルバムの内容に関する写真を貼付することは、当業者であれば、当然採用する事項といえるものである。
　そして、一般に、写真アルバムとその収納ケースは、外観のデザイン性が重要視されるものであるところ、写真を貼付する位置について、デザインの統一感、共通性等を考慮し、写真アルバムと収納ケースとで対応する位置関係で印刷するようにすることは、当業者であれば、当然採用する事項といえるものである。
　また、引用発明１のアルバムを収納可能なケースは、箱状であるところ、箱状のケースを成型して作成することは慣用手段といえる事項である。
　そうすると、引用発明１に、上記周知技術を参酌し、引用発明２を適用し、上記相違点４の構成とすることは、当業者が容易になし得ることである。
オ　［相違点５］について
　本願補正発明の「一連の流れとして連携して行う工程」について、明細書等に「【0020】　図１に示すように、本実施形態の製造方法は、作業の順序に従って、撮影工程Ｓ１１、編集工程Ｓ１２、修整工程Ｓ１３、アルバム作製工程Ｓ１４、ケース作製工程Ｓ１５、及び収納工程Ｓ１６を備えて構成される。本実施形態の製造方法は、これらの工程を全て一箇所で完結して行うワンストップサービスである。ここでいうワンストップサービスとは、全ての工程を行う主体が一貫しており、各工程を包括して、一連の流れとして連携して行うことをいう。なお、主体が一貫するとは、一人のスタッフが全ての工程を行うことを意味するのではなく、例えば工程の途中、または工程のうち一つ以上を外部に依頼して行わせるものではないことをいう。また、一箇所とは、物理的に一つの場所で全ての工程を行うことを意味するものではなく、例えば撮影工程Ｓ１１は写真スタジオで行い、編集工程Ｓ１２、修整工程Ｓ１３、アルバム作製工程Ｓ１４、ケース作製工程Ｓ１５、及び収納工程は別の場所にあるラボで行うようにしてもよい。以下これらの工程を順に説明する。」と記載されているものの、「外部に依頼して行わせるものではない」こと以外に具体的に明らかでないところ、撮影工程から収納工程までを、外部に依頼することなく、工程間の連携が途切れないように行うものと善解して、以下、検討する。
　上記（２）ア（ア）のとおり、引用例１には、従来より、専門業者による写真の撮影とこれに続くアルバムの製作により内容の充実した記念アルバムの製作を行うことが行われていたことが記載されている。
　そして、引用例１の「写真の撮影とこれに続くアルバムの製作」とは、撮影工程と製作工程とが途切れていないことを意味すると解される。してみると、引用例１の従来技術に記載された「専門業者による写真の撮影とこれに続くアルバムの製作」とは、上記相違点４の「撮影工程」と、修整工程と、アルバム作成工程、及びケース作成工程とが「一連の流れとして連携して行う工程」に相当する。
　また、上記イのとおり、アルバムの作成を自社工場で行うことで、撮影からアルバム作成（写真データの編集、印刷）までを、１つの会社で、全てまかなうようにして、アルバムを作成することは、周知の技術といえるものである。
　そうすると、引用発明１において、引用例１の記載もしくは上記周知技術を参酌し、写真の撮影とこれに続くアルバムの製作を行うようにし、以て、上記相違点５の構成とすることは、当業者が容易になし得るものである。
　そして、本願補正発明の発明特定事項によって奏される効果も、引用発明１、引用発明２及び上記周知技術から、当業者が予測しうる範囲内のものである。
　請求人は、「審査官殿は、本願発明と引用文献１との相違点については「当業者が適宜決め得る程度のこと」又は「当業者が通常行う程度のこと」であると認定しております（上記［拒絶査定の要点］における下線部参照）。しかしながら、これらの認定の根拠となる副引用発明は挙げられていません。（中略）本願発明（請求項１）の「写真アルバムと収納ケースの製造方法」と主引用発明である引用文献１との間には、上記〔４〕に記載の相違点１〜６が存在していますが、これら全ての相違点に対応する副引用発明は挙げられていません。また、これら全ての相違点が、引用文献１の「記念アルバム」を設計変更等することで相違点でなくなることの根拠が示されていません。」と主張する。
　しかし、上記ア乃至ウのとおりであって、請求人の主張する相違点１は上記ウに、相違点２は上記アに、相違点３は上記（３）ウに、相違点４乃至６は上記イに、それぞれ説示したとおり、引用発明２、引用例１に記載された事項、当該技術分野における従来技術から、当業者が容易に想到し得るものであると認める。
　よって、上記請求人の主張は採用できない。
　よって、本願補正発明は、引用発明１、引用発明２及び上記周知技術に基づいて、当業者が容易に発明をすることができたものであるから、特許法第２９条第２項の規定により特許出願の際、独立して特許を受けることが出来ない。
　したがって、本願補正発明は、特許出願の際、独立して特許を受けることができないものであるから、本件補正は、特許法第１７条の２第６項において読み替えて準用する同法第１２６条第７項の規定に違反する。
４　補正却下の決定のむすび
　以上のとおり、本件補正は、上記２で検討したように、特許法第１７条の２第５項の規定に違反するものであり、同法第１５９条第１項で読み替えて準用する同法第５３条第１項の規定により却下されるべきものである。
　また、本件補正は、上記３で検討したように、仮に特許法第１７条の２第５項第２号に規定する特許請求の範囲の減縮を目的とするものに該当したとしても，同条第６項において準用する同法第１２６条第７項の規定に違反するので、同法第１５９条第１項の規定において読み替えて準用する同法第５３条第１項の規定により却下すべきものである。
　よって、上記補正の却下の決定の結論のとおり決定する。
第３　本願発明について
１　本願発明
　本件補正は上記第２のとおり却下されたので、本願の請求項１を引用する請求項４に係る発明は、令和１年９月１３日付けで提出された手続補正書により補正された特許請求の範囲に記載された事項によって特定される次のとおりのものである。
「【請求項１】
　写真アルバムと該写真アルバムを収納する収納ケースの製造方法であって、
　ユーザの依頼を受けて写真を撮影する撮影工程と、
　該写真を編集した該写真アルバムを作成するアルバム作成工程と、
　該写真を利用した該収納ケースを作成するケース作成工程と、を備え、
　該写真アルバムは、該写真が表示される表紙を有し、
　該収納ケースは、該写真アルバムの該表紙に表示される該写真と共通する写真が対応する位置関係で表示される表紙を有する
ことを特徴とする写真アルバムと収納ケースの製造方法。
　　【請求項４】
　該撮影工程で得られた写真を修整する修整工程を備え、
　該アルバム作成工程及び該ケース作成工程では、該修整工程により修整された写真を用いる
ことを特徴とする請求項１〜３のいずれか一項に記載の写真アルバムと収納ケースの製造方法。」（以下、請求項１を引用する請求項４に係る発明を「本願発明」という。）
２　引用例
　令和１年１０月１５日付けの拒絶理由通知に引用された引用例、及び、その記載内容は上記「第２　３　（２）引用例」に記載したとおりである。
３　対比・判断
　本願発明は、実質的に、本願補正発明の「背景や照明の工夫を行うとともに顔のメイクやヘアーメイク、着付けを行ったうえで、被写体の」、「該撮影工程と一連の流れとして連携して行う工程であって」、「撮影工程及び該修整工程と一連の流れとして連携して行う工程であって、該修整工程を経て得られた該写真のデータを用いることにより」、「を印画紙に印刷するとともに、内部に表示される写真を編集してこの編集した写真を印画紙に印刷して、これらの印画紙を台紙に貼り付けて製本して」、「該撮影工程、該修整工程及び該アルバム作成工程と一連の流れとして連携して行う工程であって、該修整工程を経て得られた該写真のデータであって該アルバム作成工程で使用された該写真のデータと同じ該写真のデータを用いることにより」及び「印画紙に印刷し、この印画紙を台紙に接着して箱状に成型することにより」との限定を省くものである。
　そうすると、本願発明と引用発明１とを対比すると、上記「第２　３　（３）対比」での検討を勘案すると、両者は、
「写真アルバムと該写真アルバムを収納する収納ケースの製造方法であって、
　写真を修整する修整工程と、
　該写真を編集した該写真アルバムを作成するアルバム作成工程と、
　該写真を利用した該収納ケースを作成するケース作成工程と、を備える
写真アルバムと収納ケースの製造方法。」
の点で一致し、以下の点で、相違する。
［相違点１’］
　本願発明は、「ユーザの依頼を受けて、写真を撮影する撮影工程」を備えるものであるのに対し、引用発明１は、撮影工程を備えるのか否か明らかでない点。
［相違点２］
　本願発明は、「撮影工程で得られた写真を修整する修整工程」を備えるものであるのに対し、引用発明１は、前記修正工程を備えるのか否か明らかでない点。
［相違点３’］
　本願発明の「アルバム作成工程」は、「写真アルバムの表紙」に「写真」を「表示させる」ものであるのに対し、引用発明１は、表示させるものではない点。
［相違点４’］
　本願発明の「ケース作成工程」は、「該写真アルバムの該表紙に表示される該写真と共通する写真を対応する位置関係で表示される」ものであるのに対し、引用発明１は、その点明らかでない点。
　そして、上記相違点１’は、上記相違点１の一部の構成を削除したものであり、また、上記相違点３’は、上記相違点３の一部の構成を削除したものであり、また、上記相違点４’は、上記相違点４の一部の構成を削除したものであるから、上記「第２　３　（４）判断」における検討内容を踏まえれば、上記と同様の理由により、本願発明は、引用発明１、引用発明２及び上記周知技術に基づいて当業者が容易に発明をすることができたものである。
４　むすび
　以上のとおりであるから、本願発明は、引用発明１、引用発明２及び上記周知技術に基づいて、当業者が容易に発明をすることができたものであるから、特許法第２９条第２項の規定により特許を受けることができない。
　そして、その余の請求項について検討するまでもなく、本願は拒絶すべきものである。
　よって、結論のとおり審決する。